(57)【要約】【課題】無線接続システムにおける接続承認制御（Connection Admission Control）方法及び装置を提供する。【解決手段】本発明による接続承認の制御方法は、接続設定が必要な場合、要求されたサービスのクラスを確認する過程と、前記確認されたクラスのスロット当たりの平均容量を使用して、前記サービスの要求送信速度を要求スロット数に変換する過程と、前記要求スロット数と使用可能スロット数とを比較して、接続を承認するか否かを決定する過程と、を含む。【選択図】 図３
2008092577.tif 000002
【特許請求の範囲】
【請求項１】
無線通信システムにおける接続承認の制御方法であって、
要求されたサービスのクラスを確認する過程と、
前記確認されたクラスの無線資源ブロック当たりの平均容量を使用して、前記サービスの要求送信速度を要求無線資源ブロック数に変換する過程と、
前記要求無線資源ブロック数と使用可能無線資源ブロック数とを比較して、接続を承認するか否かを決定する過程と、を含むことを特徴とする方法。
【請求項２】
サービスクラスの各々に対して、ＭＣＳ（Modulation and Coding Scheme）分布率を計算する過程と、
前記ＭＣＳ分布率を使用して、前記サービスクラスの各々に対する無線資源ブロック当たりの平均容量を計算する過程と、
前記無線資源ブロック当たりの平均容量を使用して、前記サービスクラスの各々に対する使用無線資源ブロック数を決定する過程と、
前記サービスクラスの使用無線資源ブロックを使用して、前記使用可能無線資源ブロックを決定する過程と、をさらに含むことを特徴とする請求項１に記載の方法。
【請求項３】
該当サービスクラスに対して設定時間の間に使用された総無線資源ブロック数をNs、ｉ番目のＭＣＳレベルが適用された無線資源ブロック数をniとするとき、各サービスクラスに対するｉ番目のＭＣＳレベルに対する分布率Piは、次の数式を用いて計算されることを特徴とする請求項２に記載の方法。
2008092577.tif 000033
【請求項４】
該当サービスクラスに対して設定時間の間に使用された総無線資源ブロック数をNs、ｉ番目のＭＣＳレベルに対する分布率をPi、ＭＣＳレベルの総数をＭ、ｉ番目のＭＣＳレベルに対する送信速度をriとするとき、該当サービスクラスの無線資源ブロック当たりの平均容量（Δr）は、以下の数式を用いて計算されることを特徴とする請求項２に記載の方法。
2008092577.tif 000034
【請求項５】
該当サービスクラスに属するコネクションの数をN、ｊ番目のコネクションの送信速度をrj、該当サービスクラスの無線資源ブロック当たりの平均容量をΔrとするとき、該当サービスクラスの使用無線資源ブロック数は、下記の数式を用いて計算されることを特徴とする請求項２に記載の方法。
2008092577.tif 000035
【請求項６】
総無線資源ブロック数をＳ、サービスクラスの数をM、ｍ番目のサービスクラスの使用無線資源ブロック数を
2008092577.tif 000036
、要求されたサービスのクラスに適用される加重値をγとするとき、使用可能無線資源ブロック数は、下記の数式を用いて計算されることを特徴とする請求項２に記載の方法。
2008092577.tif 000037
【請求項７】
前記総無線資源ブロック数Ｓは、制御領域を除いたデータ領域の総無線資源ブロック数であることを特徴とする請求項６に記載の方法。
【請求項８】
前記加重値γは、すべてのサービスクラスに同じ値で適用されるか、又は互いに異なる値で適用されることを特徴とする請求項６に記載の方法。
【請求項９】
前記要求されたサービスの要求送信速度をrin、該当サービスクラスの無線資源ブロック当たりの平均容量をΔrとするとき、前記要求無線資源ブロック数は、下記の数式により計算されることを特徴とする請求項１に記載の方法。
2008092577.tif 000038
【請求項１０】
ＵＧＳ（Unsolicited Grant Service）、ＥＲＴ−ＶＲ（Extended Real-Time Variable Rate）サービス及びＲＴ−ＶＲ（Real-Time Variable Rate）サービスを第１クラスに分類し、ＮＲＴ−ＶＲ（Non-Real-Time Variable Rate）サービスを第２クラスに分類する過程をさらに含むことを特徴とする請求項１に記載の方法。
【請求項１１】
ＵＧＳ（Unsolicited Grant Service）サービスを第１クラスに分類し、ＥＲＴ−ＶＲ（Extended Real-Time Variable Rate）サービスを第２クラスに分類し、ＲＴ−ＶＲ（Real-Time Variable Rate）サービスを第３クラスに分類し、ＮＲＴ−ＶＲ（Non-Real-Time Variable Rate）サービスを第４クラスに分類する過程をさらに含むことを特徴とする請求項１に記載の方法。
【請求項１２】
互いに異なるサービスは、進歩技術（advanced tech.）を適用するか否かに応じて、少なくとも２個のクラスに分類されることを特徴とする請求項１に記載の方法。
【請求項１３】
任意サービスに対して接続が承認される場合、あるいは解除される場合に、前記使用可能無線資源ブロック数を更新する過程をさらに含むことを特徴とする請求項１に記載の方法。
【請求項１４】
ハンドオーバされる端末の接続設定要求を感知したとき、要求されたサービスのクラスを確認する過程と、
前記確認されたサービスクラスの無線資源ブロック当たりの平均容量を使用して、前記要求されたサービスの要求送信速度を要求無線資源ブロック数に変換する過程と、
前記確認されたサービスクラスに対応する使用可能無線資源ブロック数を、ハンドオーバ状況を考慮して計算する過程と、
前記要求無線資源ブロック数と前記ハンドオーバ状況での使用可能無線資源ブロック数とを比較して、接続を承認するか否かを決定する過程と、をさらに含むことを特徴とする請求項１に記載の方法。
【請求項１５】
総無線資源ブロック数をＳ、該当サービスクラスの一般状況での加重値をα、ハンドオーバ状況での加重値を（α+β）、サービスクラスの数をＭ、ｍ番目のサービスクラスの使用無線資源ブロック数を
2008092577.tif 000039
とするとき、前記ハンドオーバ状況での使用可能無線資源ブロック数は、下記の数式により計算されることを特徴とする請求項１４に記載の方法。
2008092577.tif 000040
【請求項１６】
無線通信システムにおける接続承認の制御方法であって、
互いに異なるサービスを、進歩技術を適用するか否かによって少なくとも２個のサービスクラスに分類する過程と、
要求されたサービスのクラスを確認する過程と、
前記確認されたサービスクラスに対応する使用可能資源を計算する過程と、
前記要求されたサービスの要求資源を計算する過程と、
前記要求資源と前記使用可能資源とを比較して、接続を承認するか否かを決定する過程と、
を含むことを特徴とする方法。
【請求項１７】
前記使用可能資源と前記要求資源との単位は、無線資源ブロック数であることを特徴とする請求項１６に記載の方法。
【請求項１８】
前記使用可能資源の計算過程は、
サービスクラス別に各々に対してＭＣＳ（Modulation and Coding Scheme）分布率を計算する過程と、
前記ＭＣＳ分布率を使用して、前記サービスクラスの各々に対する無線資源ブロック当たりの平均容量を計算する過程と、
前記無線資源ブロック当たりの平均容量を使用して、前記サービスクラスの各々に対する使用無線資源ブロック数を決定する過程と、
前記サービスクラスの使用無線資源ブロック数を使用して、前記使用可能資源に対応する使用可能無線資源ブロック数を計算する過程と、
を含むことを特徴とする請求項１６に記載の方法。
【請求項１９】
前記要求資源の計算過程は、
前記確認されたサービスクラスの無線資源ブロック当たりの平均容量を計算する過程と、
前記要求されたサービスの要求送信速度と前記無線資源ブロック当たりの平均容量とを使用して、前記要求資源に対応する要求無線資源ブロック数を計算する過程と、
を含むことを特徴とする請求項１６に記載の方法。
【請求項２０】
無線通信システムにおける基地局装置であって、
接続（ｃｏｎｎｅｃｔｉｏｎ）設定が要求されているかを検査する制御部と、
前記接続設定が要求されている場合には、要求されたサービスのクラスを確認し、該確認されたクラスの無線資源ブロック当たりの平均容量を使用して、前記サービスの要求送信速度を要求無線資源ブロック数に変換し、前記要求無線資源ブロック数と使用可能無線資源ブロック数とを比較して、接続を承認するか否かを決定する処理部と、
を備えることを特徴とする装置。
【請求項２１】
前記処理部は、サービスクラスの各々に対してＭＣＳ（Modulation and Coding Scheme）分布率を計算し、前記ＭＣＳ分布率を使用して、前記サービスクラスの各々に対する無線資源ブロック当たりの平均容量を計算し、前記無線資源ブロック当たりの平均容量を使用して、前記サービスクラスの各々に対する使用無線資源ブロック数を決定し、前記サービスクラスの使用無線資源ブロック数を使用して、前記使用可能無線資源ブロック数を決定することを特徴とする請求項２０に記載の装置。
【請求項２２】
前記システムから提供される互いに異なるサービスは、進歩技術を適用するか否かによって少なくとも２個のクラスに分類されることを特徴とする請求項２０に記載の装置。
【請求項２３】
前記進歩技術は、ＡＲＱ（Automatic Repeat reQuest）方式、パーミュテーション方式、ＨＡＲＱ（Hybrid Automatic Repeat reQuest）方式、ＰＦ（Proportional Fairness）スケジューリング方式、MIMO(Multiple Input Multiple Output) 方式、ＢＦ(BeamForming)方式、及び干渉除去(IC : Interference Cancellation)方式のうち少なくとも１つであることを特徴とする請求項２２に記載の装置。
【請求項２４】
前記処理部は、任意サービスに対する接続が設定される場合、あるいは解除される場合に、前記使用可能無線資源ブロック数を更新することを特徴とする請求項２０に記載の装置。
【請求項２５】
前記処理部は、ハンドオーバされる端末の接続設定要求を感知すると、要求されたサービスのクラスを確認し、該確認されたサービスクラスの無線資源ブロック当たりの平均容量を使用して、前記要求されたサービスの要求送信速度を要求無線資源ブロック数に変換し、前記確認されたサービスクラスに対応する使用可能無線資源ブロック数をハンドオーバ状況を考慮して計算し、前記要求無線資源ブロック数と前記ハンドオーバ状況での使用可能 無線資源ブロック数とを比較して、接続を承認するか否かを決定することを特徴とする請求項２０に記載の装置。
【発明の詳細な説明】
【技術分野】
【０００１】
本発明は、無線接続システムにおける接続承認制御（Connection Admission Control：以下、ＣＡＣと略称することもある。）方法及び装置に関し、特に、広帯域無線アクセス（Broadband Wireless Access）システムにおいて、送信要求速度をスロット数に変換して、使用可能スロット数と比較することによって、接続を承認するか否かを決定する方法及び装置に関する。
【背景技術】
【０００２】
接続承認制御とは、無線接続システムが、限定された通信ネットワーク資源を様々な端末に分配してサービスするときに、サービス品質を保証するために、接続されるコネクションの数（又はトラフィック量）を制限するように、現在の資源使用状況を考慮して接続要求（以下では、「接続承認要求」と称することもある。）に対して接続承認（connection admission）をするか否かを決定することを言う。
【０００３】
図１は、一般的な接続承認制御の概念を説明するための図である。
【０００４】
一般的な接続承認制御（ＣＡＣ）アルゴリズムによれば、端末から特定のサービスを要求する接続承認要求１０１が受信された場合に、無線接続システム１０２は、使用可能（ａｖａｉｌａｂｌｅ）チャネル容量（単位は、帯域幅又は送信速度と同じ）１０４を検査しこの使用可能チャネル容量１０４を、接続を要求するコネクションの送信要求速度と比較して、送信要求速度が使用可能容量より小さい場合に接続を許容し、そうでない場合には接続を拒否することによって、接続承認制御１０３を遂行する。
【０００５】
Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ（ＩＥＥＥ）８０２．１６ｅ  ＷＭＡＮ（Ｗｉｒｅｌｅｓｓ  Ｍｅｔｒｏｐｏｌｉｔａｎ  Ａｒｅａ  Ｎｅｔｗｏｒｋｓ）基盤の広帯域無線アクセスシステム（ｍｏｂｉｌｅ  ＷｉＭＡＸ（Ｗｏｒｌｄ  ｉｎｔｅｒｏｐｅｒａｂｉｌｉｔｙ  ｆｏｒ  Ｍｉｃｒｏｗａｖｅ  Ａｃｃｅｓｓ）システムとも称される。）は、携帯用端末を介して、停止及び移動中にもいつどこででも音声サービスをはじめとするインターネット接続、高速データ伝送、映像などの多様なマルチメディアサービスを提供することができ、かつ、既存のセルラ移動通信ネットワークよりも高速のデータサービスが可能になることから、次世代無線通信技術として注目されつつある。
【０００６】
広帯域無線アクセスシステムは、無線通信ネットワークのチャネル状態が、多重経路フェージングやシャドーイング（shadowing）などにより、時間と端末の位置及び移動速度に応じて変わり続ける点、接続ユーザの数に応じてマップ情報のようなシグナリングオーバーヘッドが変わる点、使用可能チャネル容量を高めるために、ＡＭＣ（Adaptive Modulation and Coding）、ＨＡＲＱ（Hybrid Automatic Repeat reQuest）、ＰＦ（Proportional Fairness）スケジューリング又はＡＲＱ（Automatic Repeat reQuest）法を使用する点、のために、システム使用可能チャネル容量が変動し続ける。
【０００７】
これにより、接続を承認するか否かを決定するに当たって、使用可能チャネル容量を推定することが最も重要な要素になる。
【０００８】
ところが、既存の移動通信ネットワーク（ＣＤＭＡ（Code Division Multiple Access）又はＧＳＭ（Global System for Mobile communication）通信ネットワーク）で使用されている接続承認制御アルゴリズムは、広帯域無線アクセスシステムには適用し難い。なぜなら、直交周波数分割多重接続（ＯＦＤＭＡ（Orthogonal Frequency Division Multiple Access））方法を採用する広帯域無線アクセスシステムは、多重チャネルの運用方法が既存の無線ネットワークと異なるためである。
【０００９】
また、広帯域無線アクセスシステムでは、実時間サービスコネクションと非実時間サービスコネクションに対する差別化も要求され、新しいコネクションとハンドオーバコネクションに対する差別化された制御が要求される。
【００１０】
また、広帯域無線アクセスシステムでは、時間と周波数の二次元資源割り当てに関する情報がＭＡＰに記録されるが、ユーザ数が増加するほどＭＡＰオーバーヘッドが増加するようになるので、これを考慮する必要がある。
【００１１】
したがって、広帯域無線アクセスシステムにおいて、実時間／非実時間サービスコネクションの間及び新しいコネクションとハンドオーバコネクションとの間の差別化とＭＡＰオーバーヘッドとが考慮された、改善された接続承認制御装置及び方法が要求される。
【特許文献１】韓国特許公開公報２００７−００４４２３３号
【発明の開示】
【発明が解決しようとする課題】
【００１２】
そこで、本発明の目的は、広帯域無線アクセスシステムにおいて、サービスの種類に応じて差別化された接続承認制御を行うための装置及び方法を提供することにある。
【００１３】
また、本発明の他の目的は、広帯域無線アクセスシステムにおいて、実時間サービスコネクションと非実時間サービスコネクションとを差別化して、接続を承認するか否かを決定する接続承認制御装置及び方法を提供することにある。
【００１４】
また、本発明のさらに他の目的は、広帯域無線アクセスシステムにおいて、新しいコネクションとハンドオーバコネクションとを差別化して、接続を承認するか否かを決定する接続承認制御装置及び方法を提供することにある。
【００１５】
また、本発明のさらに他の目的は、広帯域無線アクセスシステムにおいてＭＡＰオーバーヘッドを考慮する改善された接続承認制御装置及び方法を提供することにある。
【００１６】
また、本発明のさらに他の目的は、広帯域無線アクセスシステムにおいて、端末の要求送信速度を要求スロット数に変換し、要求スロット数と使用可能スロット数とを比較することによって、接続承認制御を行うための装置及び方法を提供することにある。
【課題を解決するための手段】
【００１７】
上記の目的を達成すべく、本発明の一態様によれば、無線通信システムにおける接続承認の制御方法であって、接続（ｃｏｎｎｅｃｔｉｏｎ）設定が必要である場合に、要求されたサービスのクラスを確認する過程と、前記確認されたクラスのスロット当たりの平均容量を使用して、前記サービスの要求送信速度を要求スロット数に変換する過程と、前記要求スロット数と使用可能スロット数とを比較して、接続を承認するか否かを決定する過程と、を含むことを特徴とする。
【００１８】
また、上記の目的を達成すべく、本発明の他の一態様によれば、無線通信システムにおける接続承認の制御方法であって、互いに異なるサービスを、進歩技術を適用するか否かによって少なくとも２個のサービスクラスに分類する過程と、接続設定が必要な場合、要求されたサービスのクラスを確認する過程と、前記確認されたサービスクラスに対応する使用可能資源を計算する過程と、前記要求されたサービスの要求資源を計算する過程と、前記要求資源と前記使用可能資源とを比較して、接続を承認するか否かを決定する過程と、を含むことを特徴とする。
【００１９】
また、本発明のさらに他の一態様によれば、無線通信システムにおける基地局装置であって、接続（ｃｏｎｎｅｃｔｉｏｎ）設定が要求されているかを検査する制御部と、前記接続設定が要求されている場合には、要求されたサービスのクラスを確認し、該確認されたクラスのスロット当たりの平均容量を使用して、前記サービスの要求送信速度を要求スロット数に変換し、前記要求スロット数と使用可能スロット数とを比較して、接続を承認するか否かを決定する処理部と、を備えることを特徴とする。
【発明の効果】
【００２０】
本発明によれば、広帯域無線アクセスシステムにおいて、スロット平均容量を使用して要求送信速度を要求スロット数に変換し、該要求スロット数を使用可能スロット数と比較することによって、接続を承認するか否かを決定することができる。本発明は、サービス等級別に差別的な接続承認を可能にすることにより、サービスフローのサービス品質を保証できるという利点がある。
【発明を実施するための最良の形態】
【００２１】
以下、添付した図面を参照して、本発明の実施の形態について詳細に説明する。下記で本発明を説明するに当たって、関連した公知の機能または構成についての具体的な説明が本発明の要旨を不明確にする虞があると判断される場合には、その詳細な説明を省略する。そして、後述する用語は、本発明での機能を考慮して定義された用語であり、これは、ユーザー、操作者の意図または慣例などによって変わりうる。したがって、その定義は、本明細書全般にわたる内容に基づいて行わなければならない。
【００２２】
本発明は、広帯域無線アクセス（Broadband Wireless Access）システムにおいて、要求送信速度を要求スロット数に変換して、使用可能スロット数と比較することによって、接続を承認するか否かを決定するためのものである。また、本発明は、サービスクラス別に異なったやり方で接続承認を行うためのものである。ここで、前記スロットは、無線資源ブロック(air resorce block)を示す。また、前記無線資源ブロックの区別基準は、基本的に周波数と時間になり、空間（Space）が追加され得る。
【００２３】
以下、前記広帯域無線アクセスシステムを例に挙げて説明するが、本発明は、多様な特性を有したトラフィックを同時に支援する無線通信システムであれば容易に適用され得る。
【００２４】
図２は、直交周波数分割多重接続（ＯＦＤＭＡ）基盤の広帯域無線アクセスシステムで使用されるフレーム構造を示す図である。
【００２５】
直交周波数分割多重接続フレーム２０１は、時間領域（ＯＦＤＭＡシンボル）２０３と周波数領域（サブチャネル）２０５の二次元領域で定義される。時間領域は、下りリンクフレーム２０７と上りリンクフレーム２０９とに区分される。ダウンリンクフレーム２０７は、プリアンブル（preamble）、ＦＣＨ（Frame Control Header）、ＤＬ（downlink）−ＭＡＰ、ＵＬ（uplink）−ＭＡＰ、及び複数のダウンリンクデータバーストで構成される。そして、アップリンクフレーム２０９は、大きく制御チャンネル領域とアップリンクデータバースト領域とで構成される。ダウンリンクプリアンブルは、端末の初期同期獲得及びセルサーチのために使用される。ＦＣＨは、フレームの基本構成を記述する情報を含む。ＤＬ−ＭＡＰは、ダウンリンクデータバーストの領域を知らせる情報を含み、ＵＬ−ＭＡＰは、アップリンクフレームの構造を知らせる情報を含む。また、アップリンクフレームの制御チャンネル領域は、レンジング（Ranging）領域、ＣＱＩＣＨ（Channel Quality Indicator Channel）領域、ＡＣＫＣＨ（Acknowledgement Channel）領域、及びサウンディング（sounding）領域などで構成されることができる。
【００２６】
フレームを構成する最小資源割り当て単位は、スロットであり、スロットは、パーミュテーション（permutation）方式に応じて異なるように構成される。ＩＥＥＥ８０２．１６標準では、サブチャネルとＯＦＤＭＡシンボルとからなるスロットの構成方式と一つのスロットを構成する副搬送波数を定義しているが、このような定義によって、フレームを構成する全スロット数が決まる。バーストは、ＭＣＳ（Modulation and Coding Scheme）レベルが同じスロットの集合である。
【００２７】
図３は、本発明に従ったネットワークの構成を示している。
【００２８】
図３に示すように、ネットワーク構成は、端末（ＭＳ：Mobile Station）３０７、３０９、３１１、３１３、基地局（ＲＡＳ：Radio Access Station）３０１、３０３、３０５、制御局（ＡＣＲ：Access Control Router）３１５及び政策／ＡＡＡ（Authentication, Authorization, Accounting）サーバ（Policy/AAA Server）３２３を含んで構築される。ここで、基地局は、ＲＡＳ又はＢＳ（Base Station）でありうる。また、制御局は、ＡＣＲ又はＡＳＮ−ＧＷ（Access Service Network-Gateway：接続サービスネットワークゲートウェイ）でありうる。そして、このような基地局と制御局とで構成されるネットワークをアクセスサービスネットワーク（Access Service Network：以下、ＡＳＮとする）と定義することができる。同図に示すように、ＰＤＦ（Policy Decision Function）とＡＡＡ（Authentication、Authorization、Accounting）の機能を一つのサーバを用いて実装することもでき、或いは２つの別途のサーバを使用して実装することもできる。また、ネットワークエンティティ（ＮＥ：Network Entity）の名称は、機能によって定義されたものであり、ユーザ又は運用者の意図によって変わりうる。
【００２９】
図３に示すように、政策／ＡＡＡサーバ３２３は、ＡＳＮと連動して端末に対する認証及び課金などを行う。端末に対する認証に成功した場合には、政策／ＡＡＡサーバ３２３は、当該端末に適用する政策を決定して、該決定された結果をＡＳＮに伝達する。そうすると、ＡＳＮは、当該決定された政策に応じて端末のサービスフローを制御する。
【００３０】
制御局３１５は、コアネットワーク（ＣＮ：Core Network）３１７から受信したトラフィック情報を該当基地局３０１、３０３又は３０５に送信し、基地局３０１、３０３、３０５から受信したトラフィック情報をコアネットワーク３１７に送信する。ここで、制御局３１５は、各端末に対してサービスフロー（ＳＦ：Service Flow）、接続、及び移動性（mobility）を管理する。ここでは、アップリンク及びダウンリンク接続別に固有のサービスフローが生成される。
【００３１】
基地局３０１、３０３、３０５は、制御局３１５から受信したトラフィック情報を該当端末に送信し、端末からのトラフィック情報を制御局３１５に送信する。以下、説明の便宜上、制御局３０１と端末３０９との間の通信を中心に説明する。基地局３０１は、制御局３１５と有線で接続され、端末３０９と無線で接続される。基地局３０１は、ＭＡＣ（Media Access Control）階層サービスフローのＱｏＳパラーメータを基にスケジューリングを行って、端末３０９に資源を割り当てる。端末３０９からコネクション設定要求が受信されるとき、基地局３０１は、該当コネクションの要求送信速度を要求スロット数に変換し、要求スロット数と使用可能スロット数とを比較することによって、接続承認制御を行う。このとき、基地局３０１は、接続承認制御をサービス種類（サービスクラス）別に行うこともできる。具体的な実施形態は、以後の数式を参照して詳細に説明する。
【００３２】
まず、各サービスクラスの使用スロット数を推定する。ここで、使用スロット数の推定は、計算の複雑さを避けるために、間接的な方法が使用される。
【００３３】
具体的に説明すると、各サービスクラスに対してＭＣＳ（Modulation Coding Scheme）レベル分布を求め、該分布を使用して、一つのスロットが得ることができる平均容量（capacity）を求める。
【００３４】
ここで、このような単位スロット当たりの容量（一つのスロットが達成でいる帯域量）は、サービスクラスに応じて異なり得る。それは、サービスフローに適用されるスケジューリングアルゴリズムがサービスクラス別に異なり、ＨＡＲＱ（Hybrid Automatic Repeat reQuest）などのような進歩技術がサービスクラスに応じて適用されるためである。したがって、単位スロット当たりの容量はサービスクラス別に異なり、それは、各々のサービスクラスで獲得されなければならない。本発明では、５種類のサービス［ＵＧＳ（Unsolicited Grant Service）、ＥＲＴ−ＶＲ（Extended Real-Time Variable Rate）サービス、ＲＴ−ＶＲ（Real-Time Variable Rate）サービス、ＮＲＴ−ＶＲ（Non-Real-Time Variable Rate）サービス、ＢＥ（Best Effort）サービス］を、ＨＡＲＱ、ＡＲＱ、及びＰＦ（Proportional Fairness）スケジューリングの適用の有無に応じて、３種類のクラスに区分する。上述の５種類のサービスクラスは、ＩＥＥ  ８０２．１６ｅ．システムに定義されたものであって、前記サービスクラスは、適用されるシステムに応じて異に称され得る。ここで、ＨＡＲＱ、ＡＲＱ、ＩＣ(Interference Cancellation), ＭＩＭＯ(Multiple Input Multiple Output),ＢＦ(BeamForming)及びＰＦスケジューリングなどのようなアクセス技術を「進歩技術」と名付けることにする。前記進歩技術の適用の有無は、トラフィックのサービス品質要求事項に従い、使用可能な無線容量は、前記進歩技術の適用の有無によって変わるので、このような事項を考慮してＣＡＣが行われなければならない。
【００３５】
かかる進歩技術を全て適用しないＵＧＳ、ＥＲＴ−ＶＲ、ＲＴ−ＶＲのようなサービスを「実時間クラス」と定義し、ＮＲＴ−ＶＲのようにＨＡＲＱとＰＦを適用するサービスを「非実時間クラス」と定義し、最後に上記ＨＡＲＱ、ＡＲＱ及びＰＦを全て適用するサービスを「ＢＥクラス」と定義して、それぞれを区分する。但し、このような分類は、一つの例に過ぎず、システム政策などによって多様な形態に分類され得る。たとえば、ＵＧＳとＥＲＴ−ＶＲを一つのクラスに分類し、ＲＴ−ＶＲとＮＲＴ−ＶＲを各々別途のクラスに分類することができる。また、適用される進歩技術に応じて、互いに異なるサービス種類のコネクションが同じクラスに分類されることもできる。
【００３６】
以下、ＵＧＳ、ＥＲＴ−ＶＲ、ＲＴ−ＶＲを一つのサービスクラス（ＲＴサービス）に分類し、ＮＲＴ−ＶＲを別の一つのサービスクラス（ＮＲＴサービス）に分類した場合について説明する。
【００３７】
ここで、ＡＭＣ（Adaptive Modulation and Coding）技法により全体Ｍ個のＭＣＳレベルが存在する場合を例に挙げ、この場合、ｉ（１≦ｉ≦Ｍ）番目のＭＣＳレベルの物理階層送信速度をriと定義する。
【００３８】
与えられた特定時間Ｔごとにサービスクラス別のＭＣＳ分布を計算すると仮定する。特定のサービスクラスに対して、時間Ｔの間にデータバーストを送信するために使用されたすべてのスロット数をNs、ｉ番目のＭＣＳレベルに送信されるスロット数をniと定義する。
【００３９】
このとき、ＭＣＳ分布の確率は、下記の数式１のように表わすことができる。
【００４０】
【数１】
2008092577.tif 000003
【００４１】
数式１の中で、Pr[]は確率分布関数を表わす。
【００４２】
上記ＭＣＳ分布を使用して、スロット当たりの平均容量（Δr）を下記の数式２のように表わすことができる。
【００４３】
【数２】
2008092577.tif 000004
【００４４】
上記の数式２から得られるスロット当たりの平均容量は、サービスクラスごとに互いに異なるため、サービスクラス別に各々求める。
【００４５】
以後、スロット当たりの平均容量と該当コネクションの送信速度を使用して、ＲＴ及びＮＲＴクラス別に現在使用中のスロット数
2008092577.tif 000005
を、下記の数式３を使用することによって推定する。
【００４６】
【数３】
2008092577.tif 000006
【００４７】
上記の数式３において、NRT及びNNRTは、それぞれ、接続承認制御手順に従って既に承認されたサービスのＲＴ及びＮＲＴクラスに属するコネクションの数を示し、rjRT及びrkNRTは、それぞれ、ＲＴコネクション及びＮＲＴコネクションの送信速度を示す。
【００４８】
このような推定は、与えられた時間（周期）Ｔ毎に繰り返し行われる。下記の数式４に表わされるように、ＥＷＭＡ（Exponentially Weighted Moving Average）を介してバースト特性を緩和した平均値を求めることもできる。
【００４９】
【数４】
2008092577.tif 000007
【００５０】
上記の数式４は、ｗ（０≦ｗ≦１）を媒介変数として有するＲＴクラスの使用スロット数
2008092577.tif 000008
のＥＷＭＡ値を示す。同じ方法でＮＲＴクラスに対しても求めることができる。
【００５１】
一方、接続設定が要求される場合、要求されたサービスの送信要求速度を、前記スロット当たりの平均容量を使用してスロット数基準に変換する。そして、スロット数に変換された使用可能資源と送信要求速度とを比較して、接続を承認するか否かを決定する。
【００５２】
ここで、各フレームの全体スロット数は、トラフィックの種類、ＨＡＲＱの適用有無、スケジューリングアルゴリズムとは関係なく一定である。しかしながら、パーミュテーション方式が固定されても、全体使用可能スロット数はユーザ数に応じて変わるようになる。なぜなら、ユーザ数が増加するにともない、ＭＡＰオーバーヘッド及びシグナリングオーバーヘッドも増加して、下りリンクフレームからデータを送信できるデータ領域（ＯＦＤＭＡシンボル数）が減少するためである。ここで、シグナリングオーバーヘッドは、基本的にブロードキャスト（broadcasting）で送信されるＤＣＤ（Downlink Channel Descriptor）、ＵＣＤ（Uplink Channel Descriptor）、ＴＲＦ−ＩＮＤ（traffic indication）、ＰＡＧ−ＡＶＤ（paging advertisement）、ＮＢＲ−ＡＶＤ（neighbor advertisement）があり、ユーザ数に応じて確率的に増加する呼生成、削除、変更手順に関連したメッセージ、及び帯域幅（ＢＷ：bandwidth）割り当て及びポーリング（polling）に関連したメッセージなどがこれに該当する。ブロードキャストメッセージの中でＴＲＦ−ＩＮＤメッセージとＰＡＧ−ＡＤＶメッセージも、ユーザ数に応じて増加する。このような状況を考慮して、一つのフレームの全体スロット数は、ＭＡＰオーバーヘッド及びシグナリングオーバーヘッドを除いたスロット数Ｓと定義する。一例として、ＭＡＰオーバーヘッドは、一定時間（Ｔ）の間に得られた平均値を使用することができる。
【００５３】
一方、ＲＴクラスとＮＲＴクラスの接続を許容するか否かは、次のように判断する。新しく接続承認を要求するサービスフローがＲＴクラスの場合、下記の数式５の条件を満たすと、接続を承認する。
【００５４】
【数５】
2008092577.tif 000009
【００５５】
すなわち、スロット当たりの平均容量（ΔrRT）と新しく接続を要求するＲＴコネクションの要求送信速度（rinRT）とを使用して要求スロット数を得、この要求スロット数の値が使用可能スロット数よりも小さければ接続を許容する。上記の数式５において、αは、０より大きく、かつ１より小さな定数値である。α値が小さくなるほど、全体使用可能スロットの中で使用することができるスロットが減少して、接続許容コネクションの数又は許容コネクションの量が減少する。
【００５６】
同様に、接続設定を要求するサービスフローがＮＲＴクラスの場合、下記の数式６の条件を満たすと、接続を承認する。
【００５７】
【数６】
2008092577.tif 000010
【００５８】
上記の数式６では、定数βが設計パラメーターとして導入されたが、これは、ＲＴコネクションがＮＲＴコネクションに比べて接続の優先順位を有するようにするためである。すなわち、β値をα値より小さく設定することによって、（α−β）＊Ｓ本のスロットをＲＴコネクションのみ使用できるようにして、ＮＲＴコネクションよりＲＴコネクションを優先的に接続許容することができる。すなわち、前記ＲＴコネクションは（α＊Ｓ）本までのスロットを使用することができることに対し、ＮＲＴコネクションは、（β＊Ｓ）本までのスロットを使用することができる。
【００５９】
上記の数式５、数式６と類似して、ハンドオーバコネクションに対する接続許容条件を下記の数式７、数式８のように表現することができる。
【００６０】
ここで、ハンドオーバＲＴコネクションとハンドオーバＮＲＴコネクションの要求送信速度をそれぞれrhoRTとrhoNRTと定義する。
【００６１】
【数７】
2008092577.tif 000011
【００６２】
【数８】
2008092577.tif 000012
【００６３】
上記の数式７、数式８において、δ（０＜δ＜１）、（α＋δ）＜１を満たさなければならず、これは、ハンドオーバコネクションに対して、新しく接続を要求するコネクションよりも接続の優先順位を付与するためである。
【００６４】
上記の数式５〜数式８から分かるように、ＲＴコネクションとＮＲＴコネクションの接続を許容するか否かを判断するときには、ＢＥコネクションにより現在使用されている容量は考慮しない。これは、ＲＴコネクション及びＮＲＴコネクションがＢＥコネクションよりも高い優先順位を有するためである。
【００６５】
すなわち、ＢＥコネクションを考慮せずに推定した使用可能スロット数に基づいて、ＲＴ、ＮＲＴコネクションを許容するか否かを決定するために、一旦コネクションの接続が許容されると、既存にＢＥコネクションにより使用されていた資源の一部又は全体は、新しく接続が許容されたＲＴ又はＮＲＴコネクションに割り当てられることができる。
【００６６】
したがって、ＢＥトラフィックの飢餓（starvation）を防止するためには、α、β、δの値を、実験を通じて適切に調整することが好ましい。
【００６７】
図４は、本発明による接続承認制御アルゴリズムを説明するための図である。
【００６８】
図４に示すように、一つのフレーム４０１は、Ｓ本のスロットで構成される。本発明では、ＭＡＰオーバーヘッドを除くので、このスロット数Ｓは、ＭＡＰオーバーヘッドを除いたスロット数を示す。Ｓ本のスロットで構成された一つのフレームにおいて、既に接続が承認されてサービスされているＲＴコネクション期間４０３に使用されているスロット数が
2008092577.tif 000013
（４０９）で、ＮＲＴコネクション期間４０５のためのスロット数が
2008092577.tif 000014
（４１１）で、これらのスロットを除いたスロットが使用可能（available）スロットである。このような使用可能スロットを接続を要求するＲＴ、ＮＲＴコネクションに割り当てることができる。すなわち、ＢＥコネクション期間４０７に使用されているスロットは、ＢＥコネクションよりも優先順位の高いＲＴ及びＮＲＴコネクションが接続承認されれば、これらのＲＴ及びＮＲＴコネクションに使用されることができる。
【００６９】
上記の数式５と数式６のＲＴ、ＮＲＴコネクションの優先順位を考慮して、α＞βのように設定することにより、αＳ（４１５）＞βＳ（４１７）の関係が成立する。
【００７０】
さらに、ＲＴ、ＮＲＴコネクションの優先順位に応じて差別化することと同じ方法により、新しいコネクションとハンドオーバコネクションを差別化することができる。
【００７１】
図５は、本発明の実施形態による基地局における接続設定要求を処理するための手順を示している。すなわち、図５は、新しい端末が接続を要求する場合に接続を承認するか否かを決定するための接続承認アルゴリズムを順序図で示したフローチャートである。
【００７２】
図５に示すように、まず、基地局は、端末から接続承認要求（接続設定要求）を受信する（ステップＳ５０１；図中ではステップをＳと略す。）。この接続承認要求が受信されると、基地局は、要求されたサービスのクラスを確認する（ステップＳ５０３）。以後、サービスクラスに応じて接続を承認するか否かを別個に決定する。すなわち、要請されたサービスのクラスがＲＴの場合には、基地局は、要求送信速度及びＲＴサービスのスロット当たりの平均容量を使用して要求スロット数を決定し、該要求スロット数と使用可能スロット数とを比較する（ステップＳ５０５）。すなわち、上述の数式５を満たすか否かを判断する。ここで、数式５を満たす場合には、基地局は、サービス接続を承認する（ステップＳ５１１）。そして、基地局は、ＲＴサービスのための使用スロット数
2008092577.tif 000015
を増加させる（すなわち、使用スロット数を増加させ、これによって、使用可能スロット数が減少する）（ステップＳ５１５）。仮に、ステップＳ５０５で数式５を満たさない場合には、基地局は、要請されたサービスの接続設定を拒否する（ステップＳ５０９）。
【００７３】
一方、ステップＳ５０３の確認の結果、要請されたサービスのクラスがＮＲＴの場合には、基地局は、要求送信速度及び当該ＮＲＴサービスのスロット当たりの平均容量を使用して要求スロット数を決定し、該要求スロット数と使用可能スロット数とを比較する（ステップＳ５０７）。すなわち、上述の数式６を満たすか否かを判断する。ここで、数式６を満たす場合には、基地局は、サービス接続を承認する（ステップＳ５１３）。そして、基地局は、ＮＲＴサービスのための使用スロット数
2008092577.tif 000016
を増加させる（すなわち、使用スロット数を増加させ、これによって、使用可能スロット数が減少する）（ステップＳ５１７）。仮に、ステップＳ５０７で数式６を満たさない場合には、基地局は、要請されたサービス接続を承認しない（ステップＳ５０９）。このようにして、接続承認要求処理過程は終了する。
【００７４】
ここでは、要請されたサービスのクラスがＢＥの場合を記述していないが、仮に接続承認サービスがＢＥクラスの場合には、現在の使用可能スロット内で接続を承認する。但し、ＢＥクラスサービスが進行中の場合であっても、ＲＴ又はＮＲＴサービス接続承認要求によって各々の承認条件が満たされると、ＢＥクラスに使用されるスロットも、これらのクラス（すなわちＲＴ又はＮＲＴ）のサービスに使用される。
【００７５】
図６は、本発明の実施形態による基地局における接続解除要求を処理するための手順を示している。すなわち、図６は、現在設定されているコネクションの解除（release）要求を処理する過程を示すフローチャートである。
【００７６】
図６に示すように、まず、基地局は、端末から接続解除要求を受信する（ステップＳ６０１）。この接続解除要求が受信されると、基地局は、解除要求されたサービスのクラスを確認する（ステップＳ６０３）。
【００７７】
ここで、サービスクラスがＲＴの場合には、基地局は、当該解除要求された接続を解除し、ＲＴサービスのための使用スロット数
2008092577.tif 000017
を減少させる（ステップＳ６０５）。これによって、使用可能スロット数が増加する。一方、ステップＳ６０３の確認の結果、サービスクラスがＮＲＴの場合には、基地局は、当該解除要求された接続を解除し、ＮＲＴサービスの使用スロット数
2008092577.tif 000018
を減少させる（ステップＳ６０７）。これによって、使用可能スロット数は増加する。
【００７８】
上述した図４〜図６の実施形態は、ＢＥを除いたサービス（ＵＧＳ、ＥＲＴ−ＶＲ、ＲＴ−ＶＲ、ＮＲＴ−ＶＲ）を２個のサービスクラスに分類し、各サービスクラス別に接続承認制御を行うためのものである。しかしながら、他の実施形態としては、４個のサービスを別途の４個のクラスに区分して、それぞれに対して接続承認制御を行うこともできる。以下、４個のサービスを４個のクラスに区分して、それぞれに対して差別化された接続承認制御を行う場合を説明する。
【００７９】
図７は、本発明の実施形態による基地局における接続承認制御を行うための手順を示すフローチャートである。
【００８０】
図７に示すように、まず基地局は、ステップＳ７０１において、特定イベントが発生しているかを検査する。ここで、かかるイベントは、設定時間周期ごとに発生するイベント、或いは特定条件を満たす時に発生するイベントでありうる。以下の説明は、設定時間周期ごとに発生するイベントと仮定することにする。ステップＳ７０１でイベントが感知されない場合には、基地局は、ステップＳ７１１に移行して、接続設定要求が発生しているか否かを検査する。
【００８１】
ステップＳ７０１でイベントが感知されると、基地局は、ステップＳ７０３に移行して、ＭＡＰオーバーヘッドを除いた総スロット数（Ｓ）を決定する。そして、基地局は、ステップＳ７０５において、ＢＥを除いたサービスクラスの各々に対して、数式１を使用してＭＣＳ分布率（Ｐｉ：ｉ番目のＭＣＳレベルに対する分布確率）を計算する。換言すれば、基地局は、ＵＧＳ、ＥＲＴ−ＶＲ、ＲＴ−ＶＲ、ＮＲＴ−ＶＲそれぞれに対するＭＣＳ分布を計算する。
【００８２】
そして、基地局は、ステップＳ７０７において、上記サービスクラスの各々に対して、数式２を使用してスロット当たりの平均容量（Δｒ）を計算する。このとき、４個のサービスクラスのそれぞれに対するスロット当たりの平均容量が計算される。次に、基地局は、ステップＳ７０９において、下記の数式９を使用して、上記サービスクラスの各々に対する使用スロット数を計算する。
【００８３】
【数９】
2008092577.tif 000019
【００８４】
このように、各サービスクラスに対する使用スロット数を計算した後に、基地局は、ステップＳ７１１に移行して、接続設定要求が発生しているかを検査する。ここで、接続設定要求は、基地局の要請あるいは端末の要請により行われうる。接続設定要求が感知された場合には、基地局は、ステップＳ７１３に移行して、要求されたサービスのクラスを確認する。
【００８５】
かかるサービスクラスが確認されると、基地局は、ステップＳ７１５において、当該サービスの要求送信速度と当該サービスクラスのスロット当たりの平均容量を使用して、要求スロット数を計算する。例えば、サービスクラスがＵＧＳである場合には、下記の数式１０を使用して要求スロット数を算出することができる。
【００８６】
【数１０】
2008092577.tif 000020
次に、基地局は、ステップＳ７１７において、現在の各サービスクラスの使用スロット
数
2008092577.tif 000021
及び総スロット数（Ｓ）を使用して、使用可能スロット数を計算する。ここで、該当サービスクラスに適用される加重値を
2008092577.tif 000022
とするとき、使用可能スロット数は、下記の数式１１を使用して計算されうる。
【００８７】
【数１１】
2008092577.tif 000023
ここで、加重値
2008092577.tif 000024
は、サービスクラスに対して全て同一に適用することもでき、一方、サービスクラスに優先順位を適用する場合には、互いに異なる値に設定されうる。すなわち、加重値
2008092577.tif 000025
は、システム状況により実験を通して適切な値に設定することが好ましい。
【００８８】
さらに、基地局は、ステップＳ７１９において、要求スロット数と使用可能スロット数とを比較する。ここで、要求スロット数が使用可能スロット数よりも小さい場合には、基地局は、ステップＳ７２１に移行して、接続を承認する。以後、基地局は、ステップＳ７２５において、該当サービスクラスの使用スロット数を更新（増加）した後に、ステップＳ７０１に戻る。一方、ステップＳ７１９の比較の結果、要求スロット数が使用可能スロット数より大きいか、又は同じである場合には、基地局は、ステップＳ７２３に移行して接続を拒否した後に、ステップＳ７０１に戻る。
【００８９】
一方、ステップＳ７１１において接続設定要求が感知されない場合には、基地局は、ステップＳ７２７に移行して、接続解除要求が発生しているか否かを検査する。ここで、接続解除要求は、基地局の要請あるいは端末の要請により行われうる。ここで、接続解除要求が感知されないと、基地局は、ステップＳ７０１に戻って、それ以下のステップを再度行う。他方、接続解除要求が感知されると、基地局は、ステップＳ７２９に移行して、該当接続を解除し、該当サービスクラスの使用スロット数を更新（減少）した後に、ステップＳ７０１に戻る。
【００９０】
上述の図７の実施形態は、４個のサービスのそれぞれに対して接続承認制御を行う場合を説明したものである。他の実施形態として、４個のサービスを３個のサービスクラスに区分した後に、各サービスクラス別に接続承認制御を行うことができる。この場合には、ＵＧＳとＥＲＴ−ＶＲを一つのサービスクラスに分類し、ＲＴ−ＶＲとＮＲＴ−ＶＲをそれぞれ別途のサービスクラスに分類し得る。
【００９１】
図８は、本発明の実施形態による基地局におけるハンドオーバ端末の接続を処理するための手順を示すフローチャートである。
【００９２】
図８に示すように、まず基地局は、ステップＳ８０１において、隣接基地局から自身の領域へハンドオーバする端末の接続設定要求が発生しているか否かを検査する。かかる接続設定要求が感知された場合には、基地局は、ステップＳ８０３において、要求されたサービスのクラスを確認する。
【００９３】
サービスクラスが確認されると、基地局は、ステップＳ８０５において、当該サービスの要求送信速度と当該サービスクラスのスロット当たりの平均容量を使用して、要求スロット数を計算する。例えば、サービスのクラスがＵＧＳである場合、下記の数式１２を使用して要求スロット数を算出することができる。
【００９４】
【数１２】
2008092577.tif 000026
以後、基地局は、ステップＳ８０７において、現在の各サービスクラスの使用スロット
数
2008092577.tif 000027
及び総スロット数（Ｓ）を使用して、使用可能スロット数を計算する。ここで、ハンドオーバ状況で該当サービスクラスに適用される加重値を
2008092577.tif 000028
とするとき、使用可能スロット数は、下記の数式１３を使用して計算されることができる。
【００９５】
【数１３】
2008092577.tif 000029
ここで、加重値
2008092577.tif 000030
は、サービスクラスに対して全て同一に適用することもでき、一方、サービスクラスに優先順位を適用する場合には、互いに異なる値に設定されることができる。また、ハンドオーバコネクションに優先順位を付与する場合には、ハンドオーバ状況での加重値
2008092577.tif 000031
は、一般状況での加重値
2008092577.tif 000032
よりも大きく設定される。
【００９６】
次に、基地局は、ステップＳ８０９において、要求スロット数と使用可能スロット数とを比較する。ここで、要求スロット数が使用可能スロット数よりも小さい場合には、基地局は、ステップＳ８１１に移行して、接続を承認する。以後、基地局は、ステップＳ８１３において、該当サービスクラスの使用スロット数を更新（増加）する。一方、ステップＳ８０９の比較の結果、要求スロット数が使用可能スロット数より大きいか、又は同じである場合には、基地局は、ステップＳ８１５に移行して、接続を拒否する。
【００９７】
図９は、本発明の実施形態による基地局の構成を示すブロック図である。
【００９８】
基地局は、図９に示すように、制御部９００と、送信モデム９０２と、ＲＦ送信部９０４と、デュープレクサー９０６と、ＲＦ受信部９０８と、受信モデム９１０と、ＣＡＣ処理器９１２と、を備えて構成される。
【００９９】
送信モデム９０２は、チャネル符号ブロックや変調ブロックなどを備えて構成され、制御部９００から受信されたメッセージを基底帯域に変調して出力する。ここで、送信モデム９０２の上記チャネル符号ブロックは、チャネルエンコーダ、インタリーバ及び変調器などで構成され、上記変調ブロックは、送信データを複数の直交する副搬送波に載せるためのＩＦＦＴ（Inverse Fast Fourier Transform）演算器などで構成されることができる。ＯＦＤＭシステムを考慮して、ＣＤＭＡシステムの場合には、上記ＩＦＦＴ演算器は、コード拡散変調器などに代替できる。
【０１００】
ＲＦ送信部９０４は、周波数変換器及び増幅器などで構成され、送信モデム９０２から受信された基底帯域信号をＲＦ（Radio Frequency）帯域の信号に変換して出力する。デュープレクサー９０６は、デュープレックス方式に応じて、ＲＦ送信部９０４からの送信信号をアンテナを介して送信し、アンテナにより受信された受信信号をＲＦ受信部９０８に提供する。ＲＦ受信部９０８は、増幅器及び周波数変換器などで構成され、無線チャネルを通過したＲＦ帯域の信号をベースバンド信号に変換して出力する。
【０１０１】
受信モデム９１０は、復調ブロック、チャネル復号ブロックなどを含んで構成され、ＲＦ受信部９０８から受信された信号を基底帯域に復調して出力する。ここで、受信モデム９１０は、各副搬送波に載せたデータを抽出するためのＦＦＴ演算器などで構成され、上記チャネル復号ブロックは、復調器、デインターリーバ及びチャネルデコーダなどで構成されることができる。
【０１０２】
制御部９００は、通信のための全般的な処理及び制御を行う。例えば、制御部９００は、送信するシグナリングメッセージを生成して送信モデム９０２に提供し、受信モデム９１０から受信されたシグナリングメッセージを分析する機能を遂行する。また、制御部９００は、送信するデータバーストを生成して送信モデム９０２に提供し、受信モデム９１０から受信されたデータバーストを予め定められたプロトコルに応じて処理する機能を遂行する。さらに、制御部９００は、接続設定要求が感知される場合に、これをＣＡＣ処理器９１２に通報する。
【０１０３】
ＣＡＣ処理器９１２は、システムの使用可能な資源を管理する。また、上記の接続設定要求が感知された場合に、ＣＡＣ処理器９１２は、現在の使用可能な資源に基づいて接続を許容するか否かを決定し、その決定結果を制御部９００に知らせる。本発明によれば、ＣＡＣ処理器９１２は、要求されたサービスの要求送信速度を要求スロット数に変換し、要求スロット数と使用可能スロット数とを比較することによって、接続承認制御を行う。このとき、ＣＡＣ処理器９１２は、かかる接続承認制御をサービス種類別に行うこともでき、或いは、サービスを幾つかのクラスにグループ化して、グループ別に接続承認制御を行うことができる。
【０１０４】
上記接続の設定は、例えば、ＤＳＡ（Dynamic service Addition）手順を通して行うことができる。端末からＤＳＡ要請メッセージが受信されると、制御部９００は、このＤＳＡ要請メッセージを分析してＣＡＣ処理器９１２に分析結果を通報する。すると、ＣＡＣ処理器９１２は、要求されたサービスのクラスを確認し、該確認されたサービスクラスに対応して、使用可能なスロット数を計算する。さらに、ＣＡＣ処理器９１２は、当該要求されたサービスの要求スロット数を計算し、該要求スロット数と前記使用可能スロット数とを比較して接続を承認するか否かを決定した後に、その決定結果を制御部９００に通報する。すると、制御部９００は、当該ＣＡＣ結果に従ってＤＳＡ応答メッセージを生成し、該生成されたＤＳＡ応答メッセージを端末に送信する。
【０１０５】
本発明によれば、広帯域無線アクセスシステムにおいて、スロット平均容量を使用して要求送信速度を要求スロット数に変換し、該要求スロット数を使用可能スロット数と比較することによって、接続を承認するか否かを決定することができる。本発明は、サービス等級別に差別的な接続承認を可能にすることにより、サービスフローのサービス品質を保証できるという利点がある。
【０１０６】
上述した本発明の好ましい実施形態は、例示の目的のために開示されたものであり、本発明の属する技術の分野における通常の知識を有する者であれば、本発明の技術的思想を逸脱しない範囲内で、様々な置換、変形、及び変更が可能であり、このような置換、変更などは、特許請求の範囲に属するものである。
【図面の簡単な説明】
【０１０７】
【図１】一般的な接続承認制御の概念を説明するための図である。
【図２】直交周波数分割多重接続基盤の広帯域無線アクセスシステムで使用されるフレーム構造を示す図である。
【図３】本発明に従ったネットワーク構成を示す図である。
【図４】本発明による広帯域無線アクセスシステムにおける無線資源割り当て概念を説明するための図である。
【図５】本発明の実施形態による基地局における接続設定要求を処理するための手順を示すフローチャートである。
【図６】本発明の実施形態による基地局における接続解除要求を処理するための手順を示すフローチャートである。
【図７】本発明の実施形態による基地局における接続承認制御を行うための手順を示すフローチャートである。
【図８】本発明の実施形態による基地局におけるハンドオーバされる端末の接続を処理するための手順を示すフローチャートである。
【図９】本発明の実施形態による基地局の構成を示すブロック図である。
【図１】
2008092577.tif 000041
【図２】
2008092577.tif 000042
【図３】
2008092577.tif 000043
【図４】
2008092577.tif 000044
【図５】
2008092577.tif 000045
【図６】
2008092577.tif 000046
【図７】
2008092577.tif 000047
【図８】
2008092577.tif 000048
【図９】
2008092577.tif 000049
【手続補正書】
【提出日】平成19年10月31日(2007.10.31)
【手続補正１】
【補正対象書類名】特許請求の範囲
【補正対象項目名】請求項４
【補正方法】変更
【補正の内容】
【請求項４】
該当サービスクラスに対して設定時間の間に使用された総無線資源ブロック数をNs、ｉ番目のＭＣＳレベルに対する分布率をPi、ＭＣＳレベルの総数をＭ、ｉ番目のＭＣＳレベルに対する送信速度をriとするとき、該当サービスクラスの無線資源ブロック当たりの平均容量（Δr）は、以下の数式を用いて計算されることを特徴とする請求項２に記載の方法。
2008092577.tif 000050
【手続補正２】
【補正対象書類名】明細書
【補正対象項目名】００４６
【補正方法】変更
【補正の内容】
【００４６】
【数３】
2008092577.tif 000051